(57)【要約】【課題】増磁時の磁化電流の増加を抑止し、高出力で低速から高速までの広範囲での可変速運転を可能とする。【解決手段】回転子１は、回転子鉄心２、保磁力と磁化方向厚みの積が小となる永久磁石３、保磁力と磁化方向厚の積が大となる永久磁石４からなる。回転子鉄心２は珪素鋼板を積層して構成し、永久磁石３，４は回転子鉄心２内に埋め込む。回転子鉄心２内を通過する磁束が、これら永久磁石３，４の部分をその厚さ方向に通過するように、各永久磁石３，４の端部に空洞５を設ける。永久磁石３の鎖交磁束を減少させる場合は、電機子巻線の電流により永久磁石３の磁化方向と逆方向の磁界を作用させる。永久磁石３の鎖交磁束を増加させる場合は、電機子巻線の電流により磁石磁化方向と同方向の磁界を作用させる【選択図】図１
2010004671.tif 000002
【特許請求の範囲】
【請求項１】
保磁力と磁化方向厚の積が他の永久磁石と異なる２種類以上の永久磁石を、磁気的に直列となるように配置して磁極を形成し、この磁極を回転子鉄心内に複数個配置して回転子を構成し、この回転子の外周にエアギャップを介して固定子を配置し、この固定子に電機子鉄心と電機子巻線を設け、この電機子巻線の電流が作る磁界により前記回転子の磁極を構成する永久磁石の少なくとも１個を磁化させて、永久磁石の磁束量を不可逆的に変化させることを特徴とする永久磁石式回転電機。
【請求項２】
請求項１に記載の永久磁石式回転電機において、
前記磁極を形成する２種類以上の永久磁石をその磁束が加え合わせになるように回転子鉄心内に配置し、電機子巻線の電流が作る磁界により前記少なくとも１個の永久磁石を磁化させて永久磁石による鎖交磁束を不可逆的に減少させ、かつ、減少後に電機子巻線の電流による磁界を前記減少時と逆方向に発生させて前記少なくとも１個の永久磁石を磁化させて永久磁石による鎖交磁束量を不可逆的に増加させることを特徴とする永久磁石式回転電機。
【請求項３】
請求項２に記載の永久磁石式回転電機において、
永久磁石の鎖交磁束を減少させる場合は、他の永久磁石と比較して保磁力と磁化方向厚の積が小さい永久磁石に、電機子巻線の電流による前記永久磁石の磁化方向と逆方向の磁界を作用させて不可逆的に変化させ、永久磁石の鎖交磁束を増加させる場合は、保磁力と磁化方向厚の積が小さい永久磁石に、電機子巻線の電流による前記磁石磁化方向と同方向の磁界を作用させて不可逆的に変化させることを特徴とする永久磁石式回転電機。
【請求項４】
請求項１から請求項３のいずれか１項に記載の永久磁石式回転電機において、
ｄ軸電流による磁界で永久磁石を磁化させて永久磁石の磁束量を不可逆的に変化させ、永久磁石を磁化するｄ軸電流を流すと同時にｑ軸電流によりトルクを制御することを特徴とする永久磁石式回転電機。
【請求項５】
請求項１から請求項４のいずれか１項に記載の永久磁石式回転電機において、
運転時にｄ軸電流による磁界で永久磁石を磁化させて永久磁石の磁束量を不可逆的に変化させ、かつ、ｄ軸電流で生じる磁束により電流と永久磁石で生じる電機子巻線の鎖交磁束量をほぼ可逆的に変化させることを特徴とする永久磁石式回転電機。
【請求項６】
請求項１から請求項５のいずれか１項に記載の永久磁石式回転電機において、最大トルク時には磁極の永久磁石の磁束が加え合わせになるように保磁力と磁化方向厚みの積が他よりも小さな永久磁石を磁化させ、トルクの小さな軽負荷時および中速回転域と高速回転域では、前記の保磁力と磁化方向厚みの積が他よりも小さな永久磁石は、電流による磁界で磁化させて磁束を減少させることを特徴とする永久磁石式回転電機。
【請求項７】
請求項１から請求項６のいずれか１項に記載の永久磁石式回転電機において、
磁気特性を不可逆変化させる永久磁石は、他の永久磁石からバイアス的な磁界が作用するように配置されることを特徴とする永久磁石式回転電機。
【請求項８】
請求項１から請求項７のいずれか１項に記載の永久磁石式回転電機において、
磁極を構成する２種類以上の永久磁石は重ねて配置することを特徴とする永久磁石式回転電機。
【請求項９】
請求項１から請求項８のいずれか１項に記載の永久磁石式回転電機において、
磁極を構成する２種類以上の永久磁石は磁化方向がほぼｄ軸方向になるように配置されることを特徴とする永久磁石式回転電機。
【請求項１０】
請求項１から請求項９のいずれか１項に記載の永久磁石式回転電機において、磁極を構成する２種類以上の永久磁石はＶ字状、またはＵ字状に配置されることを特徴とする永久磁石式回転電機。
【請求項１１】
請求項１から請求項１０のいずれか１項に記載の永久磁石式回転電機において、
磁極を構成する２種類以上の永久磁石はｑ軸近傍に配置されて磁化方向はほぼ周方向とすることを特徴とする永久磁石式回転電機。
【請求項１２】
請求項１から請求項１１のいずれか１項に記載の永久磁石式回転電機において、磁極を構成する２種類以上の永久磁石は磁極部を間に挟んで配置することを特徴とする永久磁石式回転電機。
【請求項１３】
請求項１から請求項１２のいずれか１項に記載の永久磁石式回転電機において、ｑ軸方向の磁気抵抗を磁石部を除くｄ軸方向の磁気抵抗よりも大きくすることを特徴とする永久磁石式回転電機。
【請求項１４】
請求項１から請求項１３のいずれか１項に記載の永久磁石式回転電機において、
ｑ軸方向のエアギャップ長はｄ軸方向のエアギャップ長よりも大きくすることを特徴とする永久磁石式回転電機。
【請求項１５】
請求項１から請求項１４のいずれか１項に記載の永久磁石式回転電機において、
磁極の磁石を不可逆変化させて鎖交磁束を最小にした状態で回転子が最高回転速度になったときに、永久磁石による誘導起電圧を、回転電機の電源であるインバータ電子部品の耐電圧以下とすることを特徴とする永久磁石式回転電機。
【請求項１６】
請求項１から請求項１５のいずれか１項に記載の永久磁石式回転電機において、
回転子を固定子に挿入して組み立てる時は保磁力と磁化方向厚の積が小さな永久磁石を不可逆変化させて、永久磁石による鎖交磁束を減少させた状態とすることを特徴とする永久磁石式回転電機。
【請求項１７】
請求項１から請求項１６のいずれか１項に記載の永久磁石式回転電機において、
保磁力と磁化方向厚の積が小さな永久磁石をその極性が反転するまで減磁した状態において、電流位相を進める運転を行うことを特徴とする永久磁石式回転電機。
【請求項１８】
請求項１から請求項１７のいずれか１項に記載の永久磁石式回転電機において、
運転時に極短時間のパルス的なｄ軸電流による磁界で永久磁石を磁化させて永久磁石の磁束量を不可逆的に変化させ、かつ、全磁石の誘起電圧に対して位相を進めた電流を連続的に通電させて、電流と永久磁石で生じる電機子巻線の鎖交磁束量を変化させることを特徴とする永久磁石式回転電機。
【発明の詳細な説明】
【技術分野】
【０００１】
本発明は、磁気的に直列に配置された２種類以上の永久磁石を使用し、そのうちの少なくとも１つの永久磁石の磁束量を不可逆的に変化させて、低速から高速までの広範囲での可変速運転を可能とした永久磁石式回転電機に関する。
【背景技術】
【０００２】
一般に、永久磁石式回転電機は大きく分けて２種類のタイプがある。回転子鉄心の外周に永久磁石を貼り付けた表面磁石型永久磁石式回転電機と、永久磁石を回転子鉄心の中に埋め込んだ埋め込み型永久磁石式回転電機である。可変速駆動用モータとしては、埋め込み型永久磁石式回転電機が適している。
【０００３】
永久磁石式回転電機では、永久磁石の鎖交磁束が常に一定で発生しているので、永久磁石による誘導電圧は回転速度に比例して高くなる。そのため、低速から高速まで可変速運転する場合、高速回転では永久磁石による誘導電圧(逆起電圧)が極めて高くなる。永久磁石による誘導電圧がインバータの電子部品に印加されてその耐電圧以上になると、電子部品が絶縁破壊する。そのため、永久磁石の磁束量が耐電圧以下になるように削減された設計を行うことが考えられるが、その場合には永久磁石式回転電機の低速域での出力及び効率が低下する。
【０００４】
低速から高速まで定出力に近い可変速運転を行う場合、永久磁右の鎖交磁束は一定であるので、高速回転域では回転電機の電圧が電源電圧上限に達して出力に必要な電流が流れなくなる。その結果、高速回転域では出力が大幅に低下し、さらには高速回転まで広範囲に可変速運転できなくなる。
【０００５】
最近では、可変速範囲を拡大する方法として、非特許文献１に記載されているような弱め磁束制御が適用され始めている。電機子巻線の総鎖交磁束量はｄ軸電流による磁束と永久磁石による磁束とから成る。弱め磁束制御では、負のｄ軸電流による磁束を発生させることによって、この負のｄ軸電流による磁束で全鎖交磁束量を減少させる。また、弱め磁束制御においても高保磁力の永久磁石は磁気特性(Ｂ−Ｈ特性）の動作点が可逆の範囲で変化するようにする。このため、永久磁石は弱め磁束制御の滅磁界により不可逆的に滅磁しないように高保磁力のＮｄＦｅＢ磁石を適用する。
【０００６】
弱め磁束制御を適用した運転では、負のｄ軸電流による磁束で鎖交磁束が減少するので、鎖交磁束の減少分が電圧上限値に対する電圧の余裕分を作る。そして、トルク成分となる電流を増加できるので高速域での出力が増加する。また、電圧余裕分だけ回転速度を上昇させることができ、可変速運転の範囲が拡大される。
【０００７】
しかし、出力には寄与しない負のｄ軸電流を常時流し続けるため銅損が増加して効率は悪化する。さらに、負のｄ軸電流による滅磁界は高調波磁束を生じ、高調波磁束等で生じる電圧の増加は弱め磁束制御による電圧低減の限界を作る。これらより、埋め込み型永久磁石式回転電機に弱め磁束制御を適用しても基底速度の３倍以上の可変速運転は困難である。さらに、前述の高調波磁束により鉄損が増加し、中・高速域で大幅に効率が低下する問題がある。また、高調波磁東による電磁力で振動を発生する可能性もある。
【０００８】
ハイブリッド自動車用駆動電動機に埋め込み型永久磁石電動機を適用した場合、エンジンのみで駆動される状態では電動機は連れ回される。中・高速回転では電動機の永久磁石による誘導電圧が上昇するので、電源電圧以内に抑制するため、弱め磁束制御で負のｄ軸電流を流し続ける。この状態では、電動機は損失のみを発生するので総合運転効率が悪化する。
【０００９】
電車用駆動電動機に埋め込み型永久磁石電動機を適用した場合、電車は惰行運転する状態があり、上と同様に永久磁石による誘導電圧を電源電圧以下にするために弱め磁束制御で負のｄ軸電流を流し続ける。その場合、電動機は損失のみを発生するので総合運転効率が悪化する。
【００１０】
このような問題点を解決する技術として、特許文献１や特許文献２には、固定子巻線の電流で作る磁界により不可逆的に磁束密度が変化する程度の低保磁力の永久磁石と、低保磁力の永久磁石の２倍以上の保磁力を有する高保磁力の永久磁石を配置し、電源電圧の最大電圧以上となる高速回転域では低保磁力の永久磁石と高保磁力の大久磁石による全鎖交磁束が減じるように、電流による磁界で低保磁力の未久磁石を磁化させて全鎖交磁束量を調整する技術が記載されている。
【００１１】
この特許文献１の永久磁石式回転電機は、図７に記載のような構成の回転子１を備えている。すなわち、回転子１は、回転子鉄心２、８個の低保磁力永久磁石３及び８個の高保磁力永久磁石４から構成されている。回転子鉄心２は珪素鋼板を積層して構成され、低保磁力永久磁石３はアルニコ磁石またはＦｅＣｒＣｏ磁石であり、高保磁力磁石４はＮｄＦｅＢ磁石である。
【００１２】
低保磁力永久磁石３は回転子鉄心２の中に埋め込まれ、低保磁力永久磁石３の両端部には第１の空洞５が設けられている。低保磁力永久磁石３は磁極間の中心軸になるｑ軸と一致する回転子の半径方向に沿って配置され、半径方向に対して直角方向に磁化される。高保磁力永久磁石４は回転子鉄心２内に埋め込まれ、高保磁力永久磁石４の両端部には第２の空洞６が設けられている。高保磁力永久磁石４は、２個の低保磁力永久磁石３により回転子１内周側で挟まれるように回転子１のほぼ周方向に配置されている。高保磁力永久磁石４は回転子１の周方向に対してほぼ直角方向に磁化されている。
【００１３】
回転子鉄心２の磁極部７は２個の低保磁力永久磁石３と１個の高保磁力永久磁石４で取り囲まれるようにして形成されている。回転子鉄心２の磁極部７の中心軸方向がｄ軸、磁極間の中心軸方向がｑ軸となる。この回転子１を採用した特許文献１の永久磁石式回転電機では、固定子巻線に通電時間が極短時間（１００μｓ〜１ｍｓ程度）となるパルス的な電流を流して磁界を形成し、低保磁力永久磁石３に磁界を作用させる。着磁磁界を２５０ｋＡ／ｍとすると、理想的には低保磁力永久磁石３には十分な着磁磁界が作用し、高保磁力永久磁石４には着磁による不可逆減磁はない。
【００１４】
その結果、特許文献１の永久磁石式回転電機では、回転子１のｄ軸電流により低保磁力永久磁石３の鎖交磁束量を最大から０まで大きく変化でき、また磁化方向も正逆の両方向にできる。すなわち、高保磁力永久磁石４の鎖交磁束を正方向とすると、低保磁力永久磁石３の鎖交磁束を正方向の最大値から０、さらには逆方向の最大値まで広範囲に調整することができる。したがって、本実施の形態の回転子では、低保磁力永久磁石３をｄ軸電流で着磁することにより低保磁力永久磁石３と高保磁力永久磁石４を合わせた全鎖交磁束量を広範囲に調整することができる。
【００１５】
例えば、低速域では低保磁力永久磁石３は高保磁力永久磁石４の鎖交磁束と同方向（初期状態）で最大値になるようにｄ軸電流で磁化することにより、永久磁石によるトルクは最大値になるので、回転電機のトルク及び出力は最大にすることができる。中・高速域では、低保磁力永久磁石３の磁束量を低下させ、全鎖交磁束量を下げることにより、回転電機の電圧は下がるので、電源電圧の上限値に対して余裕ができ、回転速度（周波数）をさらに高くすることが可能となる。
【特許文献１】特開２００６−２８０１９５号公報
【特許文献２】特開２００８−４８５１４号公報
【発明の開示】
【発明が解決しようとする課題】
【００１６】
前記のような構成を有する特許文献１の永久磁石式回転電機は、回転子１のｄ軸電流により、低保磁力永久磁石３の鎖交磁束量を最大から０まで大きく変化でき、また磁化方向も正逆の両方向にできるという優れた特性を有する。その反面、低保磁力永久磁石３を増磁させる場合に大きな磁化電流が必要となり、電動機を駆動するためのインバータの大型化を招くことになる。
【００１７】
特に、永久磁石の特性上、減磁の場合よりも増磁の場合に大きな磁化電流が要求されるが、特許文献１の永久磁石式回転電機は、２種類の磁石が磁気的に並列に配置された構成のため、高保磁力永久磁石４の鎖交磁束の影響で、低保磁力永久磁石３の増磁に大きな磁界が必要となる。
【００１８】
図８（Ａ）から（Ｄ）は、そのことを説明する模式図である。特許文献１の永久磁石式回転電機では、図８（Ａ）のように、２つの低保磁力永久磁石３と１つの高保磁力永久磁石４とが、ｄ軸を中心としてＵ字形に配置されている。電動機の通常の運転状態では、各永久磁石３，４の磁束の方向は、中心の磁極部７の方を向いている。この状態で、ｄ軸電流をパルス的に流して、減磁用の磁界を発生すると、その磁束は図８（Ｂ）のように、回転子１の外周側から各永久磁石３，４を貫くように発生し、それによって、低保磁力永久磁石３は減磁される。このとき、高保磁力永久磁石４は、保磁力が高いため、減磁されることはない。
【００１９】
この減磁の場合、図８（Ｃ）のように、高保磁力永久磁石４の磁束は、ｄ軸方向と共に低保磁力永久磁石３の内側から外側に向かって、低保磁力永久磁石３の当初の磁束の向きとは逆に流れるので、ｄ軸電流の作る磁界による減磁作用を補助する。そのため、低保磁力永久磁石３の極性を反転させるまでの減磁が可能である。
【００２０】
一方、増磁の場合には、ｄ軸電流を再びパルス的に印加することで、前記とは逆方向の磁界を発生させ、その磁界を構成する逆方向の磁束によって、減磁した低保磁力永久磁石３の鎖交磁束を前記（Ａ）の通常運転時の状態に戻す。しかし、本来、減磁に比較して増磁のためのエネルギーが大きく必要な上、図８（Ｃ）のように、低保磁力永久磁石３には高保磁力永久磁石４の磁束が減磁方向に加わっているため、これに打ち勝つだけの大きな磁界を生成することのできる磁化電流が必要となる。
【００２１】
このように、特許文献１の永久磁石式回転電機は、２種類の磁石を磁気的に並列に配置したため、低保磁力永久磁石３の減磁量を大きくとることができ、磁力の変化幅を０〜１００％のように大きくすることができる利点はあるものの、増磁時に必要とする磁化電流が大きいという問題があった。
【００２２】
一方、特許文献１の永久磁石式回転電機のような大幅な鎖交磁束量の変化は要求されないが、インバータの大型化を極力避けたい用途にも、特許文献１のような技術を適用することが期待されている。例えば、鎖交磁束の変化幅が７０〜１００％の範囲で、インバータは現状の電動機に使用されているものをそのまま使用したい場合などである。
【００２３】
本発明は、上述した課題を解決するためになされたものであり、低保磁力永久磁石の増磁時における磁化電流を減少させることで、インバータの大型化を必要とすることなく、低速から高速までの広範囲で可変速運転を可能とし、低速回転域の高トルク化と中・高速回転域での高出力化、効率の向上可能とした永久磁石式回転電機を提供することを目的とする。
【課題を解決するための手段】
【００２４】
前記の目的を達成するため、本発明の永久磁石式回転電機は、保磁力と磁化方向厚の積が他の永久磁石と異なる２種類以上の永久磁石を、磁気的に直列となるように配置して磁極を形成し、これら磁極を回転子鉄心内に配置して回転子を構成し、この回転子の外周にエアギャップを介して固定子を配置し、この固定子に電機子鉄心と電機子巻線を設け、この電機子巻線の電流が作る磁界により前記回転子の磁極を構成する永久磁石の少なくとも１個を磁化させて、永久磁石の磁束量を不可逆的に変化させることを特徴とする。
【００２５】
特に、永久磁石の鎖交磁束を減少させる場合は、他の永久磁石と比較して保磁力と磁化方向厚の積が小さい永久磁石に、電機子巻線の電流による前記永久磁石の磁化方向と逆方向の磁界を作用させて不可逆的に変化させ、永久磁石の鎖交磁束を増加させる場合は、保磁力と磁化方向厚の積が小さい永久磁石に、電機子巻線の電流による前記磁石磁化方向と同方向の磁界を作用させて不可逆的に変化させることが好ましい。
【００２６】
このように、本発明では、保磁力と磁化方向厚の積が他の永久磁石と異なる２種類以上の永久磁石を、磁気的に直列となるように配置したので、永久磁石の鎖交磁束を増加させる場合に、保磁力と磁化方向厚の積が小さい永久磁石に、電機子巻線の電流による前記磁石磁化方向と同方向の磁界を作用させると共に、保磁力と磁化方向厚の積が大きい永久磁石の磁界も保磁力と磁化方向厚の積が小さい永久磁石の磁化方向に作用させることができ、これにより磁化電流の増加を抑止できる。
【００２７】
また、磁気特性を不可逆変化させる永久磁石を他の永久磁石からバイアス的な磁界が作用するように配置すること、磁極を構成する２種類以上の永久磁石を重ねて配置すること、磁極を構成する２種類以上の永久磁石を磁化方向がほぼｄ軸方向になるように配置すること、磁極を構成する２種類以上の永久磁石をＶ字、またはＵ字状に配置すること、磁極を構成する２種類以上の永久磁石をｑ軸近傍に配置してその磁化方向をほぼ周方向とすることも、本発明の一態様である。
【００２８】
更に、磁極を構成する２種類以上の永久磁石を磁性部を間に挟んで配置すること、ｑ軸方向の磁気抵抗を磁石部を除くｑ軸方向の磁気抵抗よりも大きくすること、ｑ軸方向のエアギャップ長をｄ軸方向のエアギャップ長よりも大きくすることも、本発明の一態様である。
【発明の効果】
【００２９】
以上のような構成を有する本発明によれば、増磁時の磁化電流の増加を抑止できるので、永久磁石式回転電機駆動用インバータの大型化を図ることなく、回転機の効率化を達成することができる。
【発明を実施するための最良の形態】
【００３０】
以下、本発明に係る永久磁石式回転電機の実施の形態について、図面を参照して説明する。本実施の形態の回転電機は４極の場合で説明しており、他の極数でも同様に適用できる。なお、前記図７に示した永久磁石式回転電機と同一の部分については、同一の符号を付し、重複する説明は省略する。
【００３１】
（１．第１の実施の形態）
（１−１．構成）
本発明の第１の実施の形態について図１及び図２を用いて説明する。
【００３２】
本発明の第１の実施の形態の回転子１は、図１に示すように回転子鉄心２、保磁力と磁化方向厚みの積が小となる永久磁石３、保磁力と磁化方向厚の積が大となる永久磁石４から構成される。回転子鉄心２は珪素鋼板を積層して構成し、前記の永久磁石３，４は回転子鉄心２内に埋め込まれる。この場合、回転子鉄心２内を通過する磁束が、これら永久磁石３，４の部分をその厚さ方向に通過するように、各永久磁石３，４の端部に空洞５を設ける。
【００３３】
本実施の形態では、保磁力と磁化方向厚みの積が小となる永久磁石３はアルニコ磁石とし、保磁力と磁化方向厚の積が大となる永久磁石４は、ＮｄＦｅＢ磁石とする。アルニコ磁石及びＮｄＦｅＢ磁石の磁化方向はほぼ半径方向とし、アルニコ磁石とＮｄＦｅＢ磁石を磁化方向に重ねて回転子鉄心２内に埋め込む。すなわち、本実施の形態では、２種類の永久磁石３，４が、その磁化方向を同じくして、磁気的に直列に配置されていることを特徴とする。
【００３４】
前記アルニコ磁石の保磁力は５０ｋＡ／ｍとし、ＮｄＦｅＢ磁石の保磁力は１０００ｋＡ／ｍとする。アルニコ磁石の厚みはＮｄＦｅＢ磁石の厚みと同じとするが、厚みの比率を要求されるモータ特性に応じて変更してよい。
【００３５】
また、このようにして構成される本実施の形態の回転子１を固定子に挿入して回転電機を組み立てる時は、保磁力と磁化方向厚の積が小さな永久磁石３を減磁した状態とすることが好ましい。すなわち、保磁力と磁化方向厚の積が小さな永久磁石（可変磁力用磁石３）を減磁、または極性を反転した状態とすると、保磁力と磁化方向厚の積が大きい永久磁石（固定磁力用磁石４）の磁力と可変磁力用磁石３の磁力の合計が回転子の発生する磁気吸引力となる。
【００３６】
一方、可変磁力用磁石３を減磁すると全磁力は減少する。さらに可変磁力用磁石３の極性を反転させると、固定磁力用磁石４と可変磁力用磁石３は相殺することになるので合計磁力は僅かになってしまう。そのため、モータを組み立てる時にロータをステータに挿入する場合、ロータの磁石の磁力が強いと、ロータをステータに吸い込もうとする過大な磁気吸引力に耐えながら徐々に挿入する作業になる。しかし、前記のようにロータの磁力が弱いと、磁気吸引力が僅かであり組立が容易になる。
【００３７】
これらの永久磁石３，４に対しては、永久磁石式回転電機の運転時において、ｄ軸電流による磁界で永久磁石３を磁化させて永久磁石３の磁束量を不可逆的に変化させる。その場合、永久磁石３を磁化するｄ軸電流を流すと同時にｑ軸電流により回転電機のトルクを制御する。
【００３８】
また、ｄ軸電流で生じる磁束により、電流（ｑ軸電流とｄ軸電流とを合成した全電流）と永久磁石３，４とで生じる電機子巻線の鎖交磁束量、すなわち、回転電機の全電流によって電機子巻線に生じる磁束と、回転子側の２種類以上の永久磁石によって生じる磁束とから構成される電機子巻線全体の鎖交磁束量をほぼ可逆的に変化させる。
【００３９】
特に、本実施の形態では、瞬時の大きなｄ軸電流による磁界で可変磁力用永久磁石３を不可逆変化させる。この状態で不可逆減磁がほとんど生じないか、僅かの不可逆減磁が生じる範囲のｄ軸電流を連続的に流して運転する。このときのｄ軸電流は電流位相を進めて端子電圧を調整するように作用する。
【００４０】
また、大きなｄ軸電流で可変磁力用磁石３の極性を反転させ、電流位相を進める運転制御方法を行う。このようにｄ軸電流で可変磁力用磁石３の極性を反転させているので、端子電圧を低下させるような負のｄ軸電流を流しても、可変磁力用磁石３にとっては減磁界ではなく増磁界となる。すなわち、負のｄ軸電流で可変磁力用磁石３は減磁することなく、端子電圧の大きさを調整することができる。
【００４１】
一般の磁石モータでは磁石の極性は反転していないので電流位相を進めることによりｄ軸電流が増加すると、磁石が不可逆減磁する問題があるが、本実施の形態においては、可変磁力用磁石３の極性を反転させて位相を進めることが可能である。
【００４２】
（１−２．基本的な作用）
つぎに、本実施の形態の作用について説明する。
本実施の形態において、磁化に要する起磁力は、磁化に要する磁界と永久磁石の厚みの積で概算する。アルニコ８の永久磁石は２５０ｋＡ／ｍの磁界で１００％近くまで着磁できる。着磁磁界と磁石の厚みの積は、２５０ｋＡ／ｍ×３ｍｍ×１０−３＝７５０Ａとなる。
【００４３】
一方、ＮｄＦｅＢ磁石は１５００ｋＡ／ｍの磁界で１００％近くまで着磁できる。着磁磁界と磁石の厚みの積は、１５００ｋＡ／ｍ×２ｍｍ×１０−３＝３０００Ａとなる。つまり、アルニコ磁石３はＮｄＦｅＢ磁石４の約１／４の磁界で着磁できる。
【００４４】
本実施の形態では、固定子の電機子巻線に通電時間が極短時間(０．１ｍｓ〜１００ｍｓ程度)となるパルス的な電流を流して磁界を形成し、アルニコ磁石３に磁界を作用させる。永久磁石を磁化するための磁界を形成するパルス電流は固定子の電機子巻線のｄ軸電流成分とする。
【００４５】
磁石の厚みは同じにしたので、保磁力で作用磁界による影響を評価できる。初めに磁石の磁化方向とは逆方向の磁界を発生する負のｄ軸電流を電機子巻線にパルス的に通電させる。負のｄ軸電流によって変化した磁石内の磁界が５０ｋＡ／ｍになったとすると、アルニコ磁石の保磁力が５０ｋＡ／ｍなのでアルニコ磁石の磁力は不可逆的に大幅に低下する。一方、ＮｄＦｅＢ磁石の保磁力が１０００ｋＡ／ｍなので磁力は不可逆的に低下しない。その結果、パルス的なｄ軸電流が０になるとアルニコ磁石のみが減磁した状態となり、全体の磁石による鎖交磁束量を減少することができる。
【００４６】
つぎに、永久磁石の磁化方向と同方向の磁界を発生する正のｄ軸電流を電機子巻線に通電する。アルニコ磁石が着磁するために必要な磁界を発生させる。１００ｋＡ／ｍとすると、減磁していたアルニコ磁石は着磁されて最大に磁力を発生する。一方、ＮｄＦｅＢ磁石の保磁力が１０００ｋＡ／ｍなので磁力は不可逆的に変化しない。その結果、パルス的な正のｄ軸電流が０になるとアルニコ磁石のみが増磁した状態となり、全体の磁石による鎖交磁束量を増加することができる。これにより元の最大の鎖交磁束量に戻すことが可能となる。
【００４７】
以上のようにｄ軸電流による瞬時的な磁界をアルニコ磁石とＮｄＦｅＢ磁石に作用させることにより、アルニコ磁石の磁力が不可逆的に変化させて、永久磁石の全鎖交磁束量を任意に変化させることが可能となる。
【００４８】
この場合、永久磁石式回転電機の最大トルク時には磁極の永久磁石の磁束が加え合わせになるように保磁力と磁化方向厚みの積が他よりも小さな永久磁石を磁化させ、トルクの小さな軽負荷時や、中速回転域と高速回転域では、前記の保磁力と磁化方向厚みの積が他よりも小さな永久磁石は、電流による磁界で磁化させて磁束を減少させる。
【００４９】
また、磁極の磁石を不可逆変化させて鎖交磁束を最小にした状態で回転子が最高回転速度になったときに、永久磁石による誘導起電圧が、回転電機の電源であるインバータ電子部品の耐電圧以下とする。
【００５０】
（１−３．直列配置の作用）
特に、本実施の形態では、２種類の磁石を磁気的に直列に配置しているので、保磁力と磁化方向厚みの積が小となる永久磁石３の減磁及び増磁の際に、前記特許文献１の永久磁石式回転電機とは異なる作用を有する。この点を図２により説明する。
【００５１】
図２（Ａ）は、減磁前の最大の鎖交磁束量を得ている場合の図である。この場合、２種類の永久磁石３，４の磁化方向は同一であるため、両方の永久磁石の磁束が加え合わせになって、最大の磁束量が得られる。
【００５２】
図２（Ｂ）は、減磁時の状態を示すもので、ｄ軸方向から両方の永久磁石３，４の磁化方向と反対方向の磁界が作用して、保磁力と磁化方向厚みの積が小となる永久磁石３を減磁している。この場合、保磁力と磁化方向厚みの積が小となる永久磁石３には、それに積層した保磁力と磁化方向厚の積が大となる永久磁石４からの磁界が加わっており、これが減磁のためのｄ軸方向から加わる磁界と打ち消し合うことになるため、その分大きな磁化電流が必要となるが、減磁のための磁化電流は増磁時に比較して少なくて済むので、磁化電流の増加は少ない。
【００５３】
図２（Ｃ）は、減磁後の永久磁石３，４の磁束を示すもので、保磁力と磁化方向厚みの積が小となる永久磁石３は、０に近くまで減磁されているのに対して、保磁力と磁化方向厚の積が大となる永久磁石４は、磁化電流の作る磁界ではその保磁力は変化しない。従って、永久磁石３，４全体としてみれば、永久磁石３の保磁力を反転させるまでの変化が可能な特許文献１の発明ほどは、磁力の変化幅は少ない。
【００５４】
図２（Ｄ）は、永久磁石３の増磁の状態を示すものである。この状態では、ｄ軸電流による磁界が、減磁時とは逆方向に作用して、永久磁石３を増磁し、元の磁化方向に戻す。このとき、永久磁石３に積層されている保磁力と磁化方向厚の積が大となる永久磁石４からの磁界が磁化電流による磁界と加え合わせになる（永久磁石４からバイアス的な磁界が永久磁石３に作用する）ため、永久磁石３の増磁が容易に行われる。そのため、通常は大きな磁化電流を必要とする増磁時においても、保磁力と磁化方向厚の積が大となる永久磁石４の作用により、磁化電流の増大を抑止できる。
【００５５】
（１−４．効果）
以上のような構成並びに作用を有する本実施の形態においては、次の効果が得られる。
(1) 増磁時の磁化電流の増加を抑止できるので、永久磁石式回転電機を駆動するためのインバータの大型化を必要とせず、現状のインバータをそのまま使用して、運転の効率化が可能となる。
(2) ｄ軸電流でアルニコ磁石を不可逆的に変化させることにより、アルニコ磁石とＮｄＦｅＢ磁石を合わせた全鎖交磁束量を広範囲に調整することができる。
【００５６】
(3) 永久磁石の全鎖交磁束量の調整は回転電機の電圧を広範囲に調整することを可能とし、また、着磁は極短時間のパルス的な電流で行うので常時弱め磁束電流を流し続ける必要もないので損失を大幅に低減できる。また、従来のように弱め磁束制御を行う必要がないので高調波磁束による高調波鉄損も発生しない。以上により、本実施の形態の回転電機は、高出力で低速から高速までの広範囲の可変速運転を可能とし、広い運転範囲において高効率も可能となる。
【００５７】
(4) 永久磁石による誘導電圧に関しては、アルニコ磁石３を負のｄ軸電流で着磁して永久磁石の全鎖交磁束量を小さくできるので、永久磁石の誘導電圧によるインバータ電子部品の破損がなくなり、信頼性が向上する。
【００５８】
(5) 回転電機が無負荷で連れ回される状態では、アルニコ磁石３を負のｄ軸電流で着磁して永久磁石の全鎖交磁束量を小さくできる。これより、誘導電圧は著しく低くなり、誘導電圧を下げるための弱め磁束電流を常時通電する必要がほとんどなくなり、総合効率が向上する。特に惰行運転時間が長くなる通勤電車に本発明の回転電機を搭載して駆動すると、総合運転効率は大幅に向上する。
【００５９】
（２．第２の実施の形態）
本発明の第２の実施の形態について、図３を用いて説明する。
【００６０】
本実施の形態は、保磁力と磁化方向厚の積が異なる２種類の永久磁石３，４を磁化方向に貼り合せて、回転子鉄心２に設けられたＶ字状の穴に埋め込む。保磁力と磁化方向厚の積が小の永久磁石３はフェライト磁石かアルニコ磁石を使用する。保磁力と磁化方向厚の積が大の永久磁石４には、ＮｄＦｅＢ磁石を適用する。貼り合せた２種類の磁石をＶ字状に配置したが、Ｕ字状に配置してもよい。
【００６１】
この場合、回転子鉄心２に対して、Ｖ字の谷の部分がｄ軸に、Ｖ字の両端部分がｑ軸に位置するように、積層した永久磁石３，４をＶ字状（またはＵ字状）に埋め込む。また、永久磁石３，４の両端の空洞５は、ｄ軸またはｑ軸と一致する位置に設け、この方向から磁束が積層した永久磁石３，４に入り込まないようにする。すなわち、ｄ軸方向からの磁束が積層した永久磁石３，４に対して垂直に入り込み、保磁力と磁化方向厚の積が小の永久磁石３の減磁及び増磁が効果的に行われるようにする。
【００６２】
以上のような構成を有する本実施の形態では、前記の実施の形態と同様な作用効果に加えて、積層した２種類の永久磁石３，４をＶ字状に配置することにより、回転子鉄心２内で配置できる磁石の面積を直線状に配置したものより大きくできる。その結果、永久磁石３，４による磁束を増加できるので磁石によるトルクを大きくできる。さら、Ｖ字間にデルタ形状の鉄心が形成されるの、デルタ形状部分を通るｑ軸磁束が増加する。これによりリラクタンストルクが大きくなり、磁石によるトルクを合計した全モータトルクも大きくなる。
【００６３】
（３．第３の実施の形態）
本発明の第３の実施の形態について、図４を用いて説明する。
【００６４】
本実施の形態は、保磁力と磁化方向厚の積が異なる２種類の永久磁石３，４を磁化方向に貼り合せて、ｄ軸に直角に配置する点は、前記第１の実施の形態と同様である。それに加えて、本実施の形態では、回転子鉄心２のｑ軸近傍の位置に、同じく積層した２種類の永久磁石３ａ，４ａをｑ軸と一致する方向に埋め込む。これにより、回転子１の磁極部７が、３個の積層体によって凹形に取り囲まれた構成となる。
【００６５】
この場合、ｑ軸近傍に配置する永久磁石３ａ，４ａの磁化方向はほぼ周方向（ｑ軸と直交する方向）とし、ｑ軸側磁永久磁石３ａ，４ａ間に埋め込まれた磁極部７中央の永久磁石３，４はｄ軸方向を磁化方向とする。また、磁極部７中央の永久磁石３，４の両端、及びｑ軸近傍に配置する永久磁石３ａ，４ａの鉄心中央側の端部には、空洞５を設けて、ｄ軸方向から加わる減磁または増磁用の磁界が、積層した各磁石３，４または３ａ，４ａに対してその表面と直交する方向から加わるようにする。
【００６６】
このような構成を有する本実施形態においては、前記の実施の形態と同様な作用効果に加えて、ｑ軸方向に配置され永久磁石３ａ，４ａはトルクを発生させるｑ軸電流により生じる磁界の影響を受け難く、減磁し難い。したがって、ｑ軸近傍に配置された永久磁石３ａ，４ａは磁化方向厚みを薄くできる。または、保磁力と磁化方向厚の積が大きい磁石４の厚みを薄くして、保磁力と磁化方向厚の積が小さい磁石３の厚みを厚くできる。この場合の利点は、永久磁石の全鎖交磁束の変化幅を大きくできることである。
【００６７】
（４．第４の実施の形態）
本発明の第４の実施の形態について、図５（Ａ）を用いて説明する。本実施の形態では、保磁力と磁化方向厚の積が異なる２種類の永久磁石３，４を磁化方向に積層して配置させるにあたり、前記２種類の永久磁石３，４間には鉄などの磁性層８を設ける。
【００６８】
前記各実施の形態のように、永久磁石３，４を積層した場合、互いの磁石が磁気抵抗になる。そのため、保磁力と磁化方向厚の積が大の永久磁石４による強い磁界が、その上に積層された保磁力と磁化方向厚の積が小の永久磁石３による磁気抵抗で弱められその磁束密度が低下する可能性がある。
【００６９】
本実施の形態では、２種類の永久磁石３，４間に磁性層５があるので、磁気的に並列な磁気回路が構成される。すなわち、保磁力と磁化方向厚の積が大の永久磁石４からの磁束は、その上に積層された保磁力と磁化方向厚の積が小の永久磁石３を貫通する方向で作用するだけでなく、磁性層５の部分から永久磁石３の側方に漏れ出て、結果として、永久磁石３を貫通する磁束とその側方に漏れ出た磁束とが並列にｄ軸方向に作用する。このように並列に磁気回路が構成されることにより、磁気抵抗部分を回避して磁束が分布することになり、保磁力と磁化方向厚の積が大の磁石４の磁束密度を高くできる。
【００７０】
なお、図５（Ｂ）に示すように、２種類の永久磁石３，４間に磁性層５を設けるにあたり、外周側の永久磁石３は内周側の永久磁石４よりも周方向の幅を狭くすることもできる。このようにすると、永久磁石３，４の幅の差の部分には回転子鉄心が接することになるので、この鉄心部分から内周側の磁石の一部の磁束がエアギャップを貫くことになる。
【００７１】
（５．第５の実施の形態）
本発明の第５の実施の形態について、図６を用いて説明する。本実施の形態では、回転子鉄心２の形状を、永久磁石の磁束の中心軸となるｄ軸近傍のエアギャップ長Ｌ１が、磁極間部のｑ軸近傍のエアギャップ長Ｌ２よりも大きくする。
【００７２】
本実施の形態では、ｄ軸電流による磁界は永久磁石３，４に作用させることを目的としているが、漏れ磁界も生じる。本実施の形態ではｑ軸近傍のエアギャップ長Ｌ２をｄ軸近傍のエアギャップ長Ｌ１よりも大きくしている。したがって、磁石を磁化させるためのｄ軸電流による磁界は、ｄ軸部に配置された永久磁石３，４に効果的に作用させることができる。また、ｑ軸方向の磁気抵抗を大きくするような非磁性部分を回転子鉄心内に設けてもよい。
【００７３】
（６．他の実施の形態）
本発明は、前記の各実施の形態に限定されるものではなく、つぎのような他の実施の形態も包含する。
【００７４】
(1) 前記各実施の形態では４極の回転電機を示したが、８極等の多極の回転電機も本発明を適用できるのは当然である。極数に応じて永久磁石の配置位置、形状が幾分変ることはもちろんであり、作用と効果は同様に得られる。
また、磁極を形成する永久磁石において、保磁力と磁化方向の厚みの積をもって永久磁石を区別する定義をしている。したがって、磁極には同じ種類の永久磁石で形成し、磁化方向厚みを異なるように形成しても同様な作用と効果が得られる。
【００７５】
(2) 図３のように、ｑ軸方向とｄ軸方向の両方に積層した永久磁石３，４を配置する代わりに、ｑ軸方向にのみ、放射状に積層した永久磁石３，４を配置することも可能である。その場合、磁石の使用量が減るのみで、トルクも減ってしまうので、ｑ軸方向の永久磁石３，４単独ではなく、ｑ軸方向に積層した永久磁石３，４を配置し、ｄ軸とほぼ直角の位置に積層していない固定磁力の磁石を配置することが考えられる。そのようにすれば、最大磁力は大きくなる。但し、磁力の可変幅は少し小さくなる。
【００７６】
(3) 運転時に極短時間のパルス的なｄ軸電流による磁界で永久磁石を磁化させて永久磁石の磁束量を不可逆的に変化させ、かつ、全磁石の誘起電圧に対して位相を進めた電流を連続的に通電させて、電流と永久磁石で生じる電機子巻線の鎖交磁束量を変化させる。
【００７７】
すなわち、パルス電流で永久磁石の磁束量を減少させ、さらに電流位相を進めると、磁石磁束に対して逆方向の電流で生じる磁束が発生するので、これを相殺して、全鎖交磁束を減少でき、端子電圧を低下させることができる。なお、電流位相を進めることは負のｄ軸電流成分を流していることと等価である。
【００７８】
このような電流位相進み制御においては、電流位相を進めるとｄ軸電流が流れて磁石は減磁して幾分磁束量は減る。しかし、パルス電流で大きく減磁させているので、磁束量の低下は比率的には小さい利点がある。
【図面の簡単な説明】
【００７９】
【図１】本発明の第１の実施の形態の回転子の断面図。
【図２】第１の実施の形態の作用を示す模式図。
【図３】本発明の第２の実施の形態の回転子の断面図。
【図４】本発明の第３の実施の形態の回転子の断面図。
【図５】本発明の第４の実施の形態の回転子の断面図。
【図６】本発明の第５の実施の形態の回転子の断面図。
【図７】特許文献１に記載の回転子の断面図。
【図８】特許文献１に記載の回転子の作用を示す模式図。
【符号の説明】
【００８０】
１…回転子
２…回転子鉄心
３…保磁力と磁化方向厚の積が小となる永久磁石
４…保磁力と磁化方向厚の積が大となる永久磁石
５，６…永久磁石端の空洞
７…磁極部
８…磁性層
【図１】
2010004671.tif 000003
【図２】
2010004671.tif 000004
【図３】
2010004671.tif 000005
【図４】
2010004671.tif 000006
【図５】
2010004671.tif 000007
【図６】
2010004671.tif 000008
【図７】
2010004671.tif 000009
【図８】
2010004671.tif 000010